(57)【要約】      （修正有）【課題】製造上の寸法ばらつきなどの影響をうけにくくして、最終駒をケースに確実に押し付けることができ、かつ外観を良好にできる時計を提供する。【解決手段】ケース２には互いに対向するカン３が設けられ、これらのカン３の間には、バンドを構成する最終駒１０が配置される時計１において、最終駒１０を、ケース２のカン３に取り付けられる駒本体部１１と、駒本体部１１に対してケース２のカン又面との対向方向に摺動調整自在に取り付けられる摺動部材６とを備えて構成し、ケース２と対向した駒本体部１１および摺動部材６のそれぞれの端縁を当該ケース２に当接させた。【選択図】図２
2010243318.tif 000002
【特許請求の範囲】
【請求項１】
ケースには互いに対向するカンが設けられ、これらのカンの間には、バンドを構成する最終駒が配置される時計であって、
前記最終駒は、ケースのカンに取り付けられる駒本体部と、
前記駒本体部に対して前記ケースのカン又面との対向方向に摺動調整自在に取り付けられる摺動部材とを備えて構成され、
前記ケースと対向した前記駒本体部および前記摺動部材のそれぞれの端縁が当該ケースに当接される
ことを特徴とする時計。
【請求項２】
請求項１に記載の時計であって、
前記摺動部材は、前記対向方向に沿って長い長孔が設けられ、
前記長孔に挿通されるねじによって前記駒本体に取り付けられている
ことを特徴とする時計。
【発明の詳細な説明】
【技術分野】
【０００１】
本発明は、時計に係り、金属製バンドの最終駒（エンドピース）とケースとの取り付け構造の改良に関する。
【背景技術】
【０００２】
従来、時計において、時計のケースと金属製バンドの最終駒との間のがたつきをなくす取り付け構造が提案されている（例えば、特許文献１）。
この特許文献１に記載の取り付け構造は、ケースのカンに設けられたピン孔の内径寸法を連結ピンの外径寸法と略同じにしてがたをなくし、一方で、最終駒側のピン孔をバンドの長手方向に長い長孔とし、最終駒の裏面に設けられた凹部に固定部材を挿入することにより、凹部内に露出した連結ピンに固定部材のテーパ面を接触させるものである。この構造では、固定部材を凹部に挿入して行くに従い、連結ピンを基準にして固定部材がケース側に押し付けられることになり、この固定部材を介して最終駒全体がケースに押圧され、がたつきがなくなる。
【先行技術文献】
【特許文献】
【０００３】
【特許文献１】特開２００４−２９４２８４号公報
【発明の概要】
【発明が解決しようとする課題】
【０００４】
しかしながら、特許文献１に記載の構造では、製造上生じてしまう寸法のばらつきにより、最終駒とケースとの間に隙間が生じることから、固定部材を凹部の底部位置まで完全に到達させても隙間が埋まらず、最終駒を確実に押し付けることができないという問題がある。また、最終駒が確実に押し付けられないことにより、がたが大きくなって外観が見苦しいうえ、そのような隙間には汚れがたまり易く、この点でも外観が損なわれる。
【０００５】
本発明の目的は、製造上の寸法のばらつきの影響をうけにくくして、最終駒をケースに確実に押し付けることができ、かつ外観を良好にできる時計を提供することである。
【課題を解決するための手段】
【０００６】
本発明の時計においては、ケースには互いに対向するカンが設けられ、これらのカンの間には、バンドを構成する最終駒が配置される時計であって、前記最終駒は、ケースのカンに取り付けられる駒本体部と、前記駒本体部に対して前記ケースのカン又面との対向方向に摺動調整自在に取り付けられる摺動部材とを備えて構成され、前記ケースと対向した前記駒本体部および前記摺動部材のそれぞれの端縁が当該ケースに当接されることを特徴とする。
【０００７】
この発明によれば、最終駒は、駒本体部と摺動部材から構成されているため、この摺動部材を摺動させることで製造上生じる寸法のばらつきを吸収でき、駒本体部および摺動部材のそれぞれの端縁をカン又面に隙間なく当接させることができる。また、隙間が生じないことにより、がたを防止できるうえ、汚れ等がたまる心配がなく、外観を良好にできる。
【０００８】
本発明の時計においては、前記摺動部材は、前記対向方向に沿って長い長孔が設けられ、前記長孔に挿通されるねじによって前記駒本体部に取り付けられていることが好ましい。
この発明によれば、摺動部材に長孔を設け、この長孔にねじを挿通して仮締めすることにより、摺動部材の位置を駒本体部に対して簡単に調整することができる。
【図面の簡単な説明】
【０００９】
【図１】本発明の一実施形態に係る時計の主要構成部品を示す平面図。
【図２】時計の主要構成部品を裏側から見た図。
【図３】時計に用いられるバンドの最終駒を示す断面平面図。
【図４】時計の要部を示す分解斜視図。
【図５】時計の要部を示す構成図。
【図６】発明の変形例を示す斜視図。
【発明を実施するための形態】
【００１０】
以下、本発明の一実施形態を図面に基づいて説明する。
図１は、本実施形態に係る時計１の主要構成部品を示す平面図である。また、図２は、時計１の主要構成部品を裏側から見た図である。
【００１１】
図１および図２において、時計１はケース２に金属製のバンドが取り付けられるものであり、ケース２の円形状部分に設けられた一対のカン３の間にバンドの端部を構成する最終駒１０が取り付けられる。なお、本発明の時計としては、時刻をアナログ表示するものであっても、時刻をデジタル表示するものであってもよい。また、ケース２は、円形に限らず、四角形や楕円形であってもよい。カン３の互いに対向する側には、ばね棒５０の先端が収容されるカン孔３１が設けられている。
【００１２】
最終駒１０は、カン３間に取り付けられる駒本体部１１と、駒本体部１１に一体に設けられ、図示しない次の駒が連結される連結部１２と、これら各部１１、１２とは別体に設けられた摺動部材６とを備え、全体凸形状に形成されている。駒本体部１１にはカン孔３１に対応するばね棒挿通孔１３が、連結部１２には連結孔１４がそれぞれ、各部１１、１２の幅方向に貫通して設けられている。ばね棒挿通孔１３にはばね棒５０が挿通され、連結部１２には図示しない連結ピンが挿通される。
【００１３】
駒本体部１１のケース２側には、ケース２のカン又面２１（図３）に当接される当接面１５（図３）が設けられている。最終駒１０が確実に取り付けられている状態では、当接面１５の上端縁１５Ａ（図３）が、カン又面２１に隙間なく当接され、この当接部分の下方側では、当接面１５と、カン又面２１との間に隙間が形成される。
【００１４】
図３は、時計１に用いられるバンドの最終駒１０を示す断面図である。図４は、時計１の要部を示す分解斜視図である。図５は、時計１の要部を示す構成図である。
図３ないし図５において、駒本体部１１の裏面には、摺動部材６を収容する収容部１６が設けられている。収容部１６の高さ寸法と摺動部材６の高さ寸法とは略同じであり、収容部１６内に収容された摺動部材６の外面と駒本体部１１の裏面とは面一となる。
【００１５】
摺動部材６は、矩形板状に形成されており、表裏を貫通した長孔６Ａを有している。長孔６Ａの長手方向は、ケース２に対して近接離間する方向である。このような摺動部材６は、長孔６Ａに挿通されるねじ７を収容部１６に設けられたねじ穴１７に螺合することで、収容部１６内に固定される。この際、摺動部材６のえら部６Ｂは、ケース２に設けられた段差部２Ａ側に向けて突出することになる。
【００１６】
次に、最終駒１０のケース２への取り付け手順について説明する。まず、摺動部材６をねじ７により収容部１６に仮締めしておく。次いで、ばね棒５０を用いて最終駒１０をカン３間に組み込む。この後、ピンセット等を用いて、摺動部材６を長孔６Ａに沿ってケース２側にスライドさせて端縁としてのえら部６Ｂをケース２の段差部２Ａに押し付け、この状態でねじ７を本締めする。こうすることで、駒本体部１１の当接面１５の上縁側がカン又面２１に確実に当接され、最終駒１０とケース２との間に隙間がない状態で最終駒１０ががたつくことなく取り付けられる。
【００１７】
本実施形態によれば次のような効果がある。
最終駒１０は、駒本体部１１と摺動部材６から構成されているため、この摺動部材６を摺動させることで製造上生じる寸法のばらつきを吸収できる。さらに、駒本体部１１および摺動部材６のそれぞれの端縁をカン又面２１に隙間なく当接させることができる。このように、隙間が生じないことによりがたを防止し、最終駒１０をケース２に確実に取り付けることができるうえ、汚れ等がたまる心配がなく、外観を良好にできる。
【００１８】
なお、本発明は前述の実施形態に限定されるものではなく、本発明の目標を達成できる範囲での変形、改良等は本発明に含まれるものである。
例えば、前述の実施形態では、駒本体部１１に摺動部材６を１個のねじ７で取り付けていたが、図６に示されるように、２個以上の複数のねじ７（図６では３個）で取り付けてもよい。この場合、１個のねじで係止するときよりも摺動部材６を収容部１６に対して斜めに係止することがなく、確実に当接させることができ、がたを防止できる。
【００１９】
本発明を実施するための最良の構成、方法等は、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当事者が様々な変形を加えることができるものである。
従って、上記に開示した形状、材質等を限定した記載は、本発明の理解を容易にするために例示的に記載したものであり、本発明を限定するものではないから、それらの形状、材質等の一部もしくは全部の限定を外した部材の名称での記載は、本発明に含まれるものである。
【符号の説明】
【００２０】
１…時計、２…ケース、３…カン、６…摺動部材、６Ａ…長孔、１０…最終駒、１１…駒本体部、２１…カン又面。
【図１】
2010243318.tif 000003
【図２】
2010243318.tif 000004
【図３】
2010243318.tif 000005
【図４】
2010243318.tif 000006
【図５】
2010243318.tif 000007
【図６】
2010243318.tif 000008